(57)【要約】【課題】ファームウェアを終端装置に自動ダウンロードするＰＯＮシステム及び自動ダウンロード方法に関し、管理者の負担軽減並びにサービス低下を回避する。【解決手段】端局装置（ＯＬＴ）１に光スプリッタ３を介して複数の終端装置（ＯＮＵ）２を接続し、端局装置（ＯＬＴ）１は、光スプリッタ対応のＰＯＮインタフェース盤と、監視制御盤とを備え、監視制御盤は、終端装置（ＯＮＵ）２を管理する管理テーブル１０ａに基づいて、設定時刻に、稼動中のファームウェアの版数とダウンロードするファームウェアの版数とが異なる終端装置（ＯＮＵ）２をダウンロード対象終端装置として自動ダウンロードテーブル１０ｂに登録し、登録順にダウンロードを実行し、終端装置（ＯＮＵ）２は、ダウンロードされたファームウェアを待機面に保持し、リブートにより待機面から稼動面にコピーして、ファームウェアの更新を行う。【選択図】図１
2007282148.tif 000002
【特許請求の範囲】
【請求項１】
端局装置に光スプリッタを介して複数の終端装置を接続したＰＯＮシステムに於いて、
前記端局装置は、前記光スプリッタ対応のＰＯＮインタフェース盤と、該ＰＯＮインタフェース盤を制御する監視制御盤とを備え、該監視制御盤は、前記ＰＯＮインタフェース盤に前記光スプリッタを介して接続された前記終端装置を管理する管理テーブルと、前記終端装置の稼動中のファームウェアの版数とダウンロードするファームウェアの版数とが異なる終端装置をダウンロード対象終端装置として登録する自動ダウンロードテーブルと、該自動ダウンロードテーブルに登録されたダウンロード対象終端装置に対してファームウェアのダウンロードを実行する手段とを有し、
前記終端装置は、前記端局装置からダウンロードされたファームウェアを待機面に保持し、リブートにより前記待機面のファームウェアを稼動面にコピーして、ファームウェアの更新を行う手段を有する
ことを特徴とするＰＯＮシステム。
【請求項２】
前記端局装置の監視制御盤は、ダウンロード開始設定時刻又は前記終端装置の接続認証時に、稼働中のファームウェアの版数とダウンロードするファームウェアの版数が異なる終端装置をダウンロード対象終端装置として前記自動ダウンロードテーブルに登録し、前記ダウンロード対象終端装置に対してファームウェアをダウンロードする手段と、ダウンロードが正常終了した前記ダウンロード対象終端装置を前記自動ダウンロードテーブルから削除する手段と、ダウンロードが正常終了できない前記ダウンロード対象終端装置対応にダウンロード回数を歩進し、該ダウンロード回数が設定値を超えた前記ダウンロード対象終端装置を前記ダウンロードテーブルから削除する手段とを備えたことを特徴とする請求項１記載のＰＯＮシステム。
【請求項３】
前記端局装置の監視制御盤は、前記ダウンロード対象終端装置に対するファームウェアのダウンロード開始前に、該ダウンロード対象終端装置に対するトラフィック量を求め、前記ファームウェアのダウンロードが可能の場合のみ、ダウンロードを開始する手段を備えたことを特徴とする請求項１記載のＰＯＮシステム。
【請求項４】
前記終端装置は、前記端局装置からダウンロードされたファームウェアを待機面に保持してリブート要求表示を行う表示手段と、該表示手段のリブート要求表示に基づいたリブートにより前記待機面から稼動面に前記ファームウェアをコピーする手段とを備えたことを特徴とする請求項１記載のＰＯＮシステム。
【請求項５】
端局装置に光スプリッタを介して複数の終端装置を接続し、前記端局装置から前記終端装置にファームウェアをダウンロードする自動ダウンロード方法に於いて、
前記端局装置は、ダウンロードするファームウェアの版数と前記終端装置の稼働中のファームウェアの版数とを比較し、版数が相違する終端装置をダウンロード対象終端装置として自動ダウンロードテーブルに登録する過程と、該自動ダウンロードテーブルに登録したダウンロード対象終端装置に対して順次ファームウェアをダウンロードする過程と、ダウンロード正常終了終端装置を、前記自動ダウンロードテーブルから削除する過程とを含むことを特徴とする自動ダウンロード方法。
【請求項６】
ダウンロード開始設定時刻又は前記終端装置の接続認証時に、前記終端装置の稼働中のファームウェアの版数とダウンロードするファームウェアの版数が異なる終端装置をダウンロード対象終端装置として前記自動ダウンロードテーブルに登録する過程と、該自動ダウンロードテーブルに登録したダウンロード対象終端装置に対して順次ファームウェアをダウンロードする過程と、ダウンロードが正常終了した前記ダウンロード対象終端装置を前記自動ダウンロードテーブルから削除し、ダウンロードが正常終了できない前記ダウンロード対象終端装置対応にダウンロード回数を歩進し、該ダウンロード回数が設定値を超えた前記ダウンロード対象終端装置を前記ダウンロードテーブルから削除する過程とを含むことを特徴とする請求項５記載の自動ダウンロード方法。
【請求項７】
前記ダウンロード対象終端装置に対するファームウェアのダウンロード開始前に、該ダウンロード対象終端装置に対するトラフィック量を求め、前記ファームウェアのダウンロードが可能か否かを判定し、可能の場合のみ、前記ファームウェアのダウンロードを開始する過程を含むことを特徴とする請求項５記載の自動ダウンロード方法。
【請求項８】
前記端局装置からファームウェアをダウンロードされた前記終端装置は、該ファームウェアを一旦待機面に保持して、リブート要求表示を行う過程と、該リブート要求表示に基づいたリブートにより前記待機面から稼動面に前記ファームウェアをコピーして、ファームウェアの更新を行う過程とを含むことを特徴とする請求項５記載の自動ダウンロード方法。
【発明の詳細な説明】
【技術分野】
【０００１】
本発明は、端局装置と光スプリッタを介してスター状に複数の加入者側の終端装置を光ファイバ伝送路により接続した構成のＰＯＮ（Ｐａｓｓｉｖｅ  Ｏｐｔｉｃａｌ  Ｎｅｔｗｏｒｋ）システム及び自動ダウンロード方法に関する。
【背景技術】
【０００２】
ＰＯＮシステムは、局舎内の端局装置（ＯＬＴ：Ｏｐｔｉｃａｌ  Ｌｉｎｅ  Ｔｅｒｍｉｎａｔｅ）と、複数のユーザ宅内の終端装置（ＯＮＵ：Ｏｐｔｉｃａｌ  Ｎｅｔｗｏｒｋ  Ｕｎｉｔ）とを光スプリッタ（又は光カプラ）を介して光ファイバ伝送路により接続した構成を有し、光スプリッタは、光信号の１６分岐合成又は３２分岐合成を行う構成が知られている。各ユーザの終端装置（ＯＮＵ）は、端局装置（ＯＬＴ）から通知された送信開始時刻と送信許可時間との情報に従ってそれぞれ時間差をもってデータを送信することにより時分割多重化され、光スプリッタに於いて合成されて端局装置（ＯＬＴ）に伝送される。又各終端装置（ＯＮＵ）に対するデータは、各終端装置のアドレスをそれぞれ付加したデータを多重化した状態で送信し、光スプリッタにより分配され各終端装置に伝送される。各終端装置（ＯＮＵ）は自アドレスが付加されているデータを受信処理する。
【０００３】
ユーザ宅内の終端装置（ＯＮＵ）は、キャリアの提供サービス変更や新規サービス、装置機能エンハンス、ハードウェアの改版、不具合修正等の理由により、搭載されているファームウェアの更新が必要となる。この場合に、従来は、管理者によって、ダウンロードする終端装置（ＯＮＵ）のファームウェアを、先ず、端局装置（ＯＬＴ）に、例えば、ＦＴＰ（Ｆｉｌｅ  Ｔｒａｎｓｆｅｒ  Ｐｒｏｔｏｃｏｌ）により転送し、その端局装置（ＯＬＴ）の制御パッケージの保存エリアに格納する。そして、管理者は、保存したファームウェアを、終端装置（ＯＮＵ）に展開する為にダウンロードコマンドを投入する。その際、管理者はダウンロード対象終端装置（ＯＮＵ）が収容されている通信パッケージ番号と終端装置（ＯＮＵ）番号とを指定して、ダウンロードコマンドを実行する。指定された終端装置（ＯＮＵ）へのファームウェアのダウンロードが完了すると、終端装置（ＯＮＵ）を新しいファームウェアで稼動させる為に、リブートが必要である。このリブートを行うことにより、終端装置（ＯＮＵ）の待機面に保存されたファームウェアを稼動面にコピーして、新しいファームウェアで稼動できるようにするものであり、端局装置（ＯＬＴ）による終端装置（ＯＮＵ）へのダウンロード後、端局装置（ＯＬＴ）による自動リブート、又は管理者による遠隔リブートを行って、終端装置（ＯＮＵ）を新しいファームウェアで稼動させるものである。
【０００４】
又ソフトウェアを自動ダウンロードする通信サーバに、端末装置に送信する為のソフトウェア群を保持し、通信サーバから端末装置に対してシステム探索プログラムを予め送信し、端末装置からのシステム探索結果を基に、端末装置に最適な通信ソフトウェアを選択し、その通信ソフトウェアを通信サーバから通信端末に対してダウンロードする方法が提案されている（例えば、特許文献１参照）。
【０００５】
又ファームウェアを内蔵したモジュールを交換した時に、装置のメモリに保持されている版数と交換した新しいモジュール付属のファームウェアの版数とが一致しているか否かを判定し、一致していない場合、コントローラにより、メモリに保持されているファームウェアの版数のソフトウェアを新しいモジュールに自動ダウンロードする方法が提案されている（例えば、特許文献２参照）。
【０００６】
又ＡＤＳＬ（Ａｓｙｍｍｅｔｒｉｃ  Ｄｉｇｉｔａｌ  Ｓｕｂｓｃｒｉｂｅｒ  Ｌｉｎｅ）方式に適用可能とし、複数の加入者対応の下位装置を接続したインタフェース部に、下位装置との間で通信する為の設定データを保持する設定メモリを設け、そのインタフェース部の上位の共通部はバックアップメモリを備え、そのバックアップメモリに、インタフェース部の設定メモリ対応の設定テーブルを設け、インタフェース部の交換や新規追加等の場合に、共通部の設定テーブルに保持している設定データを、新しいインタフェース部の設定メモリに転送し、又バージョンアップ時は、共通部の設定テーブルにバージョンアップした設定データを保持するように制御し、その設定データを下位装置の設定メモリに転送して設定する方法が提案されている（例えば、特許文献３参照）。
【特許文献１】特開平８−２６３４０９号公報
【特許文献２】特開２００５−７１０４２号公報
【特許文献３】特開２００５−３４７９１３号公報
【発明の開示】
【発明が解決しようとする課題】
【０００７】
従来例のＰＯＮシステムに於けるファームウェアのダウンロードは、管理者によるＣＬＩ（コマンドライン・インタフェース）コマンドにより実行するものであり、終端装置（ＯＮＵ）毎に、ＣＬＩコマンドによって行っており、ファームウェアのダウンロード対象の終端装置（ＯＮＵ）が数万台以上に及ぶ場合に、版数変更の度毎にダウンロードすることになるが、逐一管理者が操作するもので、その作業量が膨大となり、且つ作業時間が長くなる問題があった。
【０００８】
又終端装置（ＯＮＵ）のファームウェアの版数を確認して、ダウンロードするか否かを判断することも必要であり、又全加入者の終端装置（ＯＮＵ）の電源が投入されているとは限らず、又光ファイバ伝送系が正常でない場合も存在するから、管理者は、正常動作中でない終端装置（ＯＮＵ）に対しては、繰り返しダウンロード操作を行う必要がある。又ダウンロード実行中に、終端装置（ＯＮＵ）の電源断や光ファイバの接続断等が発生した場合は、再度最初からダウンロード操作を行う必要がある。又ダウンロードしてリブート後、ファームウェアが正常であるか否かを確認する為に、管理者は、終端装置（ＯＮＵ）からファームウェアの読出しを行って確認し、正常でない場合は、再度ダウンロード操作を行う必要がある。従って、管理者側の負担が大きい問題があった。
【０００９】
又ダウンロード後、その終端装置（ＯＮＵ）をリブートする必要があり、その為に、管理者による遠隔リブート又は終端装置（ＯＮＵ）の自動リブートを実行することになるが、加入者が終端装置（ＯＮＵ）を介したＩＰ電話やインターネットによるＴＶ等の画像受信中等の通信中の場合、リブート実行による強制切断となり、サービス低下が大きくなる問題がある。又端局装置（ＯＬＴ）と各終端装置（ＯＮＵ）との間の使用中の帯域を無視してファームウェアのダウンロードを実行する場合、加入者が使用する帯域を圧迫して、サービス低下を招く問題がある。
【００１０】
又ＡＤＳＬ方式に於いては、モデムのファームウェアのダウンロードは、加入者がサイトにアクセスして、加入者が行うことができるようになっている場合があるが、総ての加入者がダウンロードするとは限らないので、ファームウェアのバージョンアップを総て実行するとのができないと共に、加入者による誤操作の問題がある。なお、モデムから自動的にサーバに対してアクセスして、ダウンロードする手段も考えられるが、総てのモデムに自動ダウンロード機能を付加することは、モデムのコストアップとなる問題がある。又前述の特許文献１〜３について、通信システムに関するものであるが、ＰＯＮシステムに於ける前述の問題点の提起及びその解決手段は開示されていない。
【００１１】
本発明は、前述の従来の問題点を解決するもので、管理者の作業負担を軽減し、又加入者へのサービス低下を回避可能とするものである。
【課題を解決するための手段】
【００１２】
本発明のＰＯＮシステムは、端局装置に光スプリッタを介して複数の終端装置を接続したＰＯＮシステムに於いて、前記端局装置は、前記光スプリッタ対応のＰＯＮインタフェース盤と、該ＰＯＮインタフェース盤を制御する監視制御盤とを備え、該監視制御盤は、前記ＰＯＮインタフェース盤に前記光スプリッタを介して接続された前記終端装置を管理する管理テーブルと、前記終端装置の稼動中のファームウェアの版数とダウンロードするファームウェアの版数とが異なる終端装置をダウンロード対象終端装置として登録する自動ダウンロードテーブルと、該自動ダウンロードテーブルに登録されたダウンロード対象終端装置に対してファームウェアのダウンロードを実行する手段とを有し、前記終端装置は、前記端局装置からダウンロードされたファームウェアを待機面に保持し、リブートにより前記待機面のファームウェアを稼動面にコピーして、ファームウェアの更新を行う手段を有するものである。
【００１３】
又前記端局装置の監視制御盤は、ダウンロード開始設定時刻又は前記終端装置の接続認証時に、稼働中のファームウェアの版数とダウンロードするファームウェアの版数が異なる終端装置をダウンロード対象終端装置として前記自動ダウンロードテーブルに登録し、前記ダウンロード対象終端装置に対してファームウェアをダウンロードする手段と、ダウンロードが正常終了した前記ダウンロード対象終端装置を前記自動ダウンロードテーブルから削除する手段と、ダウンロードが正常終了できない前記ダウンロード対象終端装置対応にダウンロード回数を歩進し、該ダウンロード回数が設定値を超えた前記ダウンロード対象終端装置を前記ダウンロードテーブルから削除する手段とを備えている。
【００１４】
又前記端局装置の監視制御盤は、前記ダウンロード対象終端装置に対するファームウェアのダウンロード開始前に、該ダウンロード対象終端装置に対するトラフィック量を求め、前記ファームウェアのダウンロードが可能の場合のみ、ダウンロードを開始する手段を備えている。
【００１５】
又前記終端装置は、前記端局装置からダウンロードされたファームウェアを待機面に保持してリブート要求表示を行う表示手段と、該表示手段のリブート要求表示に基づいたリブートにより前記待機面から稼動面に前記ファームウェアをコピーする手段とを備えている。
【００１６】
又本発明の自動ダウンロード方法は、端局装置に光スプリッタを介して複数の終端装置を接続し、前記端局装置から前記終端装置にファームウェアをダウンロードする自動ダウンロード方法に於いて、前記端局装置は、ダウンロードするファームウェアの版数と前記終端装置の稼働中のファームウェアの版数とを比較し、版数が相違する終端装置をダウンロード対象終端装置として自動ダウンロードテーブルに登録する過程と、該自動ダウンロードテーブルに登録したダウンロード対象終端装置に対して順次ファームウェアをダウンロードする過程と、ダウンロード正常終了終端装置を、前記自動ダウンロードテーブルから削除する過程とを含むものである。
【００１７】
又ダウンロード開始設定時刻又は前記終端装置の接続認証時に、前記終端装置の稼働中のファームウェアの版数とダウンロードするファームウェアの版数が異なる終端装置をダウンロード対象終端装置として前記自動ダウンロードテーブルに登録する過程と、該自動ダウンロードテーブルに登録したダウンロード対象終端装置に対して順次ファームウェアをダウンロードする過程と、ダウンロードが正常終了した前記ダウンロード対象終端装置を前記自動ダウンロードテーブルから削除し、ダウンロードが正常終了できない前記ダウンロード対象終端装置対応にダウンロード回数を歩進し、該ダウンロード回数が設定値を超えた前記ダウンロード対象終端装置を前記ダウンロードテーブルから削除する過程とを含むものである。
【００１８】
又前記ダウンロード対象終端装置に対するファームウェアのダウンロード開始前に、該ダウンロード対象終端装置に対するトラフィック量を求め、前記ファームウェアのダウンロードが可能か否かを判定し、可能の場合のみ、前記ファームウェアのダウンロードを開始する過程を含むものである。
【００１９】
又前記端局装置からファームウェアをダウンロードされた前記終端装置は、該ファームウェアを一旦待機面に保持して、リブート要求表示を行う過程と、該リブート要求表示に基づいたリブートにより前記待機面から稼動面に前記ファームウェアをコピーして、ファームウェアの更新を行う過程とを含むものである。
【発明の効果】
【００２０】
端局装置から終端装置にファームウェアをダウンロードする時に、ファームウェアの版数が異なる終端装置をダウンロード対象終端装置として順次抽出して自動ダウンロードテーブルに登録し、その自動ダウンロードテーブルに基づいてファームウェアのダウンロードを行うものであるから、管理者の作業負担を大幅に軽減して、ファームウェアの自動ダウンロードが可能となる。又設定時刻又は接続認証時に、自動ダウンロードテーブルへの登録処理とダウンロード処理とを行い、且つ伝送帯域に空きがある場合にダウンロードすることにより、通常のデータ伝送に妨害を与えることなく、新たなファームウェアの自動ダウンロードを行うことができる。又ダウンロード後は、リブート要求表示により加入者にファームウェアのダウンロードがあったことを知らせて、加入者の都合の良い時にリブードを行うことが可能となり、サービス中断等の問題はなくなる。
【発明を実施するための最良の形態】
【００２１】
本発明のＰＯＮシステムは、図１を参照すると、端局装置（ＯＬＴ）１に光スプリッタ３を介して複数の終端装置（ＯＮＵ）２を接続したＰＯＮシステムに於いて、端局装置（ＯＬＴ）１は、光スプリッタ対応のＰＯＮインタフェース盤と、このＰＯＮインタフェース盤を制御する監視制御盤とを備え、監視制御盤は、ＰＯＮインタフェース盤に、光スプリッタ３を介して接続された終端装置（ＯＮＵ）２を管理する管理テーブル１０ａと、終端装置（ＯＮＵ）２の稼動中のファームウェアの版数とダウンロードするファームウェアの版数とが異なる終端装置（ＯＮＵ）２をダウンロード対象終端装置として登録する自動ダウンロードテーブル１０ｂと、この自動ダウンロードテーブル１０ｂに登録されたダウンロード対象終端装置に対してファームウェアのダウンロードを実行する手段とを有し、終端装置（ＯＮＵ）２は、端局装置（ＯＬＴ）１からダウンロードされたファームウェアを待機面に保持し、リブートにより前記待機面のファームウェアを稼動面にコピーして、ファームウェアの更新を行う手段を有するものである。
【００２２】
本発明の自動ダウンロード方法は、端局装置（ＯＬＴ）１に光スプリッタを介して複数の終端装置（ＯＮＵ）２を接続し、端局装置（ＯＬＴ）１から終端装置（ＯＮＵ）２にファームウェアをダウンロードする自動ダウンロード方法に於いて、端局装置（ＯＬＴ）１は、ダウンロードするファームウェアの版数と、終端装置（ＯＮＵ）２の稼働中のファームウェアの版数とを比較し、版数が相違する終端装置（ＯＮＵ）２をダウンロード対象終端装置として自動ダウンロードテーブルに登録する過程と、この自動ダウンロードテーブルに登録したダウンロード対象終端装置に対して順次ファームウェアをダウンロードする過程と、ダウンロード正常終了終端装置を、自動ダウンロードテーブルから削除する過程とを含むものである。
【実施例１】
【００２３】
図１は、本発明の実施例１のＰＯＮシステムの説明図であり、１は局舎内の端局装置（以下ＯＬＴと略称する）、２は加入者側の終端装置（以下ＯＮＵと略称する）、３は光スプリッタ（光カプラと称する場合もある）、４はＣＬＩ（Ｃｏｍｍａｎｄ  Ｌｉｎｅ  Ｉｎｔｅｒｆａｃｅ）端末、５はＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバ、６は上位ネットワーク、７はＭＮＧ（Ｍａｎａｇｅｒ）システム、８はＤＣＮ（Ｄａｔａ  Ｃｏｍｍｕｎｉｃａｔｉｏｎ  Ｎｅｔｗｏｒｋ）、９はユーザ端末、１０ａは管理テーブル、１０ｂは自動ダウンロードテーブルを示す。
【００２４】
又ＵＮＩ（Ｕｓｅｒ  Ｎｅｔｗｏｒｋ  Ｉｎｔｅｒｆａｃｅ）は、ユーザ端末９とＯＮＵ２との間のインタフェース、ＰＯＮ−ＩＦは光スプリッタ３側のインタフェース、装置設定ＩＦは、ＯＬＴ１とＣＬＩ端末４との間のインタフェース、ＡＡＡ−ＩＦ（Ａｕｔｈｅｎｔｉｃａｔｉｏｎ，Ａｕｔｈｏｒｉｚａｔｉｏｎ  ａｎｄ  Ａｃｃｏｕｎｔｉｎｇ  Ｉｎｔｅｒｆａｃｄ）は、ＯＬＴ１とＲＡＤＩＵＳサーバ５との間のインタフェース、ＣＮＩ（Ｃｏｒｅ  Ｎｅｔｗｏｒｋ  Ｉｎｔｅｒｆａｃｅ）は、ＯＬＴ１と上位ネットワーク６との間のインタフェース、ＭＮＧ−ＩＦはＭＮＧシステム７とＤＣＮ８との間及びＤＣＮ８とＯＬＴ１との間のインタフェースを示す。
【００２５】
ＯＬＴ１は、単一又は複数の通信パッケージと、単一の監視制御パッケージとを含む構成を有し、通信パッケージは、ＣＮＩを介して上位ネットワーク６と接続されると共に、ＰＯＮ−ＩＦを介して光スプリッタ３と光ファイバ伝送路により接続される。光スプリッタ３は、光信号を１６分岐合成又は３２分岐合成する構成を有し、ＯＬＴ１と１６台又は３２台のＯＮＵ２との間で光信号による相互通信を行う為に、各ＯＮＵ２に対してＯＬＴ１からの光信号の分配及び各ＯＮＵ２からの光信号を時分割的に合成してＯＬＴ１に伝送する。又ＯＬＴ１に、例えば、通信パッケージを１６枚搭載し、１枚の通信パッケージにより光スプリッタ３を介して３２台のＯＮＵ２と接続する構成とすると、ＯＬＴ１により最大５１２台のＯＮＵ２を収容することができる。
【００２６】
又管理テーブル１０ａは、ＯＬＴ１配下のＯＮＵ２のアドレス等を管理するテーブルであり、又自動ダウンロードテーブル１０ｂは、ファームウェアのダウンロードを行う時に、稼働中のファームウェアの版数と、ダウンロードするファームウェアの版数とが異なるＯＮＵ２をダウンロード対象ＯＮＵとして登録するテーブルである。又管理者は、ＣＬＩ端末４を操作して、ＯＬＴ１の設定制御及び管理を行うもので、ＯＮＵ２のファームウェアの更新が必要となった時に、更新するファームウェアを、ＣＬＩ端末４からのコマンド投入により、ＯＬＴ１の制御パッケージのメモリへ格納し、ダウンロード時刻とダウンロード回数とファームウェア名（版数を含む）とを設定する。このダウンロードの設定時刻は、深夜等のトラフィック量が少ない時間帯を選択することができる。
【００２７】
設定したダウンロード時刻になると、ＯＬＴ１は、管理テーブル１０ａを参照して、それぞれの通信パッケージの配下に接続されているＯＮＵ２から、稼働中のファームウェア版数の読出しを行う。この読出したファームウェア版数と、ダウンロードするファームウェアの版数とを比較し、異なる場合は、自動ダウンロードテーブル１０ｂに自動ダウンロード対象ＯＮＵとして登録する。この登録する項目は、ＯＬＴ１で管理しているＯＮＵ２の番号等と、現在ＯＮＵ２で稼働中のファームウェアの版数と、ダウンロード回数（初期値は０）とを含むものである。
【００２８】
総てのＯＮＵ２に対する稼働中のファームウェア版数とダウンロードするファームウェア版数との比較処理を行った結果により、ダウンロード対象ＯＮＵを登録した自動ダウンロードテーブル１０ｂの作成処理が終了する。次に、自動ダウンロードテーブル１０ｂに登録した順序に従って、最初に登録されたＯＮＵを選択し、そのＯＮＵとＯＬＴ１との間のトラフィック量をチェックする。ＯＮＵ方向の伝送帯域に充分な空きがあれば、ダウンロードを開始する。又伝送帯域に充分な空きがなければ、自動ダウンロードテーブル１０ｂのダウンロード回数を１歩進（＋１）して再登録し、登録順番としては後となるようにする。このダウンロード回数が予め設定した回数を超えた場合、そのＯＮＵを自動ダウンロードリストから削除して、ダウンロードのリトライ回数の制限を行う。
【００２９】
正常にダウンロードが完了すると、そのＯＮＵを自動ダウンロードテーブル１０ｂから削除し、次に登録されているＯＮＵに対するダウンロード処理を開始する。又ダウンロードに失敗すると、自動ダウンロードテーブル１０ｂのダウンロード回数を１歩進（＋１）して再登録し、ダウンロード回数が予め設定した回数を超えると、今回のダウンロードが困難な状態と判定して、自動ダウンロードテーブル１０ｂから削除する。自動ダウンロードテーブル１０ｂのダウンロード対象ＯＮＵ数が０となると、自動ダウンロード処理は終了する。
【００３０】
又自動ダウンロードの処理は、前述のダウンロードの設定時刻のみでなく、ＯＵＮ２が接続認証された時にも実行する。又複数のＯＮＵが接続認証された場合は、例えば、認証順序に従って前述の自動ダウンロードの処理を開始する。この場合、接続認証されたＯＮＵに対してのみ、版数の読出しと比較とを行って、ダウンロード対象ＯＮＵに相当するか否かを判定し、版数が異なるＯＮＵをダウンロード対象ＯＮＵとして自動ダウンロードテーブル１０ｂに登録し、順次ファームウェアのダウンロードの可否を判定し、可能の場合は、ダウンロードを実行する。従って、ダウンロードの設定時刻に、接続認証前又は電源オフの状態のＯＮＵであっても、接続認証時に新しいファームウェアの自動ダウンロードの処理を開始することが可能となる。それにより、例えば、工場出荷状態のＯＮＵを新規加入により接続した場合でも、接続認証時に、そのＯＮＵに対して最新のファームウェアの自動ダウンロードが可能となる。
【００３１】
又ファームウェアのダウンロードが完了したＯＮＵは、例えば、赤色等の半導体発光素子（ＬＥＤ）を発光させてリブート要求表示を行わせる。それにより、加入者の都合の良い時に、リブート操作を行わせるか、又はメール等によりファームウェアの更新の為にダウンロードを行い、リブートにより更新するように通知し、ダウンロード完了を知らせるリブート要求表示に従ってＯＮＵをリブートすることにより、新しいファームウェアの更新完了となる。
【００３２】
図２は、本発明の実施例１の端局装置の説明図であり、図１と同一符号は同一部分を示し、１１はＰＯＮインタフェース盤（ＰＩＦ）、１２は監視制御盤（ＳＶ）、１３は電源盤（ＰＷＲ）、１４はＰＯＮインタフェース部（ＰＯＮ  Ｉ／Ｆ）、１５はＰＯＮ処理部、１６はネットワーク６との間のＧｂｐｓの伝送速度のインタフェース部（Ｇｉｇａ  Ｉ／Ｆ）、１７はシリアル・インタフェース部、１８はメモリ、１９は制御部、２０，２１はＬＡＮインタフェース部（ＬＡＮ  Ｉ／Ｆ）を示す。
【００３３】
ＰＯＮインタフェース盤１１は、前述の通信パッケージに相当し、光スプリッタ３対応に複数実装されている。又ＰＯＮ制御部１５は、ＰＯＮインタフェース部１４を介して光スプリッタ３と接続され、インタフェース部１６を介してネットワーク６と接続されている。又監視制御盤１２は、前述の監視制御パッケージに相当し、メモリ１８と制御部１９とシリアル・インタフェース部１７とＬＡＮインタフェース部２０，２１とを含む構成を有する。又電源盤１３は、各部に動作電力を供給する電源部を含み、現用予備の冗長構成を有する場合を示す。又メモリ１８に、前述のダウンロードするファームウェアの保持する領域と、管理テーブル１０ａの領域と、自動ダウンロードテーブル１０ｂの領域とを形成することができる。
【００３４】
図３は、本発明の実施例１の終端装置の説明図であり、図１と同一符号は同一部分を示し、３１は制御部、３２はメモリ、３３はＰＯＮ処理部、３４は表示部（ＬＥＤ）、３５は光スプリッタ３と接続するＰＯＮインタフェース部（ＰＯＮ  Ｉ／Ｆ）、３６はユーザ端末９を接続するインタフェース部（Ｉ／Ｆ）、３７は電源部、３８はＡＣアダプタを示す。ＡＣアダプタ３８は、例えば、交流１００Ｖを、内部で使用する電圧に変換して電源部３７に供給するもので、電源部３７は、内部で使用する直流安定化電圧を出力する。
【００３５】
メモリ３２は、ダウンロードしたファームウェアを一時的に格納する待機面と、現在のファームウェアを格納している稼動面とを含み、制御部３１の制御により、ＯＬＴからダウンロードしたファームウェアをメモリ３２の待機面に一時格納し、リブートにより、待機面のファームウェアを稼動面にコピーして、ファームウェアの更新を行う。その場合のファームウェアのダウンロード完了時に、発光ダイオード等からなる表示部３４により、リブート要求表示して、ユーザに、新しいファームウェアがダウンロードされたので、リブートを促す。
【００３６】
ユーザ端末９からのデータは、ＰＯＮ処理部３３のバッファメモリに保持し、ＯＬＴから指示された送信開始時刻と送信許可時間とに従って、バッファメモリに保持されたデータを光信号として送信開始し、送信許可時間に相当するデータ量を送信する。又光スプリッタ３を介してＯＬＴから受信した光信号を電気信号に変換し、自ＯＮＵアドレスを認識したデータについて受信処理し、ユーザ端末９へ送信する。
【００３７】
図４は、ＰＯＮインタフェース盤対応の管理テーブルの一例を示し、ＰＯＮインタフェース盤番号ＰＩＦ０１〜ＰＩＦｎ対応に、ＯＮＵ番号（ＯＮＵ０１〜ＯＮＵ３２）と、ＭＡＣアドレス（ＭＡＣａｄｄｅｓｓ）と、ファームウェアの版数（ｖｅｒｓｉｏｎ）とを格納している。なお、ＭＡＣアドレスがないＯＮＵ番号のＯＮＵは、未接続状態のＯＮＵに相当する。この管理テーブルは、図１のＯＬＴ１の管理テーブル１０ａに相当し、図２の監視制御盤１２のメモリ１８に形成することができる。
【００３８】
図５は、自動ダウンロードテーブルの一例を示し、前述のように、設定時刻又は接続認証された時に、ＯＮＵの稼働中のファームウェアの版数を読出し、ダウンロードするファームウェアの版数と一致しないＯＮＵを、ダウンロード対象ＯＮＵとして登録するもので、ＯＮＵの欄に版数比較順に従ってダウンロード対象ＯＮＵのＯＮＵ番号と、そのＯＮＵの稼働中のファームウェアの版数（ａｃｔｕａｌ）と、ダウンロードするファームウェアの版数（ＤＬｖｅｒｓｉｏｎ）とを登録すると共に、ダウンロード回数（ｃｏｕｎｔ）の欄を設ける。このダウンロード回数は、初期値を０とする。
【００３９】
この自動ダウンロードテーブルは、図１に於いては、１０ｂとして示し、図２に於いては例えばメモリ１８に形成することができるもので、ＯＬＴ１の監視制御盤１２により管理する全ＯＮＵに対して、制御部１９の制御により自動的に版数比較を行って作成する。図５に示す状態の自動ダウンロードテーブルに於いて、例えば、ＯＮＵ番号のＯＮＵ１０は、稼働中のファームウェアの版数は０００１、ダウンロード回数は０、又ＯＮＵ番号のＯＮＵ２３は、稼働中のファームウェアの版数は０００２、ダウンロード回数は２の場合を示している。即ち、ダウンロードするファームウェアの版数（ＬＤｖｅｒｓｉｏｎ）の０００４と相違する稼働中のファームウェアの版数のＯＮＵを、ダウンロード対象ＯＮＵとして登録する。
【００４０】
図６は、本発明の実施例１のフローチャートを示し、ＯＬＴに於いて、制御部１９（図２参照）の制御により、ファームウェアのダウンロードの設定時刻になった時（Ｓ１）、又はＯＮＵを新たに接続又は電源投入を行って接続認証された時（Ｓ２）、管理テーブル（図４参照）に登録されている接続認証されたＯＮＵの稼働中のファームウェアの版数を読出す（Ｓ３）。そして、監視制御盤（ＳＶ盤）１２に設定されたダウンロードするファームウェアの版数（図５のＤＬｖｅｒｓｉｏｎ）と比較して、一致しているか否かを判定する（Ｓ４）。一致している場合は、ダウンロードの必要がないから、この処理を終了する。
【００４１】
又不一致の場合は、ダウンロード対象ＯＮＵとして自動ダウンロードテーブル（図５参照）に登録する（Ｓ５）。全ＯＮＵに対するファームウェアの版数の読出しと比較とを行って、自動ダウンロードテーブルが構成されると、その自動ダウンロードテーブル上の最古、即ち、登録された先頭から順に、ダウンロード対象ＯＮＵとして選択する（Ｓ６）。そして、選択したダウンロード対象ＯＮＵのＰＯＮ区間のダウンストリームトラヒック量をチェックする。この処理は、ＯＬＴの監視制御盤１２の制御部１９の制御によって行うことができる。そして、ファームウェアをダウンロードする為の帯域の空きがあるか否かを判定する（Ｓ７）。
【００４２】
帯域に空きがある場合、ダウンロード対象ＯＮＵに対するファームウェアをダウンロードする（Ｓ８）。ＯＮＵは、例えば、メモリ３２（図３参照）のファームウェア待機面に格納する（Ｓ９）。又帯域に空きがない場合、自動ダウンロードテーブルの該当ＯＮＵのダウンロード回数を１歩進（＋１）させて、再登録する。このダウンロード回数が予め設定された回数を超えると、自動ダウンロードテーブルに登録されていたダウンロード対象ＯＮＵを削除し（Ｓ１３）、ステップ（Ｓ６）へ移行する。又ファームウェアのダウンロードにより、該当ＯＮＵのファームウェア待機面に格納する（Ｓ９）。
【００４３】
そして、正常にダウンロードが完了したか否かを判定し（Ｓ１０）、正常終了の場合は、そのＯＮＵを自動ダウンロードテーブルから削除する（Ｓ１１）。そして、自動ダウンロードテーブルにダウンロード対象ＯＮＵが残っているか否かを判定し（Ｓ１２）、残っていない場合は処理を終了する。又残っている場合は、ステップ（Ｓ６）に移行して、前述のステップ（Ｓ６）〜（Ｓ１３）を実行する。従って、ファームウェア更新の際に発生する管理者の膨大な作業を削減でき、又ダウンロード後のリブートは、ユーザが都合の良い時に行うことができるから、ユーザが受けているサービスに与える影響を最小限に抑えることができる。
【図面の簡単な説明】
【００４４】
【図１】本発明の実施例１のＰＯＮシステムの説明図である。
【図２】本発明の実施例１の端局装置の説明図である。
【図３】本発明の実施例１の終端装置の説明図である。
【図４】管理テーブルの説明図である。
【図５】自動ダウンロードリストの説明図である。
【図６】本発明の実施例１のフローチャートである。
【符号の説明】
【００４５】
１  端局装置（ＯＬＴ）
２  終端装置（ＯＮＵ）
３  光スプリッタ
４  ＣＬＩ（Ｃｏｍｍａｎｄ  Ｌｉｎｅ  Ｉｎｔｅｒｆａｃｅ）端末
５  ＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバ
６  上位ネットワーク
７  ＭＮＧ（Ｍａｎａｇｅｒ）システム
８  ＤＣＮ（Ｄａｔａ  Ｃｏｍｍｕｎｉｃａｔｉｏｎ  Ｎｅｔｗｏｒｋ）
９  ユーザ端末
１０ａ  管理テーブル
１０ｂ  自動ダウンロードテーブル
１１  ＰＯＮインタフェース盤（ＰＩＦ）
１２  監視制御盤（ＳＶ）
１３  電源盤（ＰＷＲ）
１４  ＰＯＮインタフェース部（ＰＯＮ  Ｉ／Ｆ）
１５  ＰＯＮ処理部
１６  インタフェース部（Ｇｉｇａ  Ｉ／Ｆ）
１７  シリアル・インタフェース部
１８  メモリ
１９  制御部
２０，２１  ＬＡＮインタフェース部（ＬＡＮ  Ｉ／Ｆ）
【図１】
2007282148.tif 000003
【図２】
2007282148.tif 000004
【図３】
2007282148.tif 000005
【図４】
2007282148.tif 000006
【図５】
2007282148.tif 000007
【図６】
2007282148.tif 000008